(57)【要約】【課題】小型でかつ大型のキートップ（押しボタン）を取り付けても傾きやがたつきが少なく、操作感触が良好なプッシュスイッチを提供する。【解決手段】プッシュスイッチは、キートップ４０と、該キートップ４０を上方へ付勢するキートップ復帰用コイルスプリング１１０と、前記キートップ４０を介して押し操作されるスライダー３０と、該スライダー３０を上方へ付勢するスライダー復帰用コイルスプリング１００と、前記スライダーの動作位置に応じて接離されるスイッチ接点８０，８１とを設け、スライダー復帰用コイルスプリング１００をキートップ４０の軸芯Ｌ１に対してずれた位置に配置する。またキートップ４０が外縁部の対称位置から垂下する脚部４１を設け、該脚部４１の間に下から立ち上がる箱形状のボディ１が外側に、前記脚部４１が嵌め込まれてキートップ４０を上下動可能に保持するガイド２を設ける。【選択図】  図１
2007323829.tif 000002
【特許請求の範囲】
【請求項１】
キートップと、該キートップを上方へ付勢するキートップ復帰用コイルスプリングと、前記キートップを介して押し操作されるスライダーと、該スライダーを上方へ付勢するスライダー復帰用コイルスプリングと、前記スライダーの動作位置に応じて接離されるスイッチ接点とを設けたプッシュスイッチであって、スライダー復帰用コイルスプリングがキートップの軸芯に対してずれた位置に配置されていることを特徴とするプッシュスイッチ。
【請求項２】
キートップが外縁部の対称位置から垂下する脚部を設け、該脚部の間に下から立ち上がる箱形状のボディが外側に、前記脚部が嵌め込まれてキートップを上下動可能に保持するガイドを設けている請求項１に記載のプッシュスイッチ。
【請求項３】
キートップが中央部に貫通孔を設け、ボディが上面にカバーを設け、前記キートップを照光する光源が前記カバーの中央部に配置されている請求項２に記載のプッシュスイッチ。
【請求項４】
カバーが上面に内壁、ギャップ、外壁の構成で２重壁を立ち上げ、該２重壁の内壁の内側に光源が収容されていると共に、キートップが貫通孔を介して前記２重壁の内壁の外側に上下動可能に嵌合されている請求項３に記載のプッシュスイッチ。
【請求項５】
カバーが２重壁のギャップ底面に複数の貫通孔を設け、スライダーが上面に複数の受圧部を立ち上げ、該スライダーの各受圧部が前記カバーの各貫通孔を通して２重壁のギャップ内に突出されていると共に、キートップがその貫通孔周縁から垂下されて前記２重壁の内壁の外側に上下動可能に嵌合される押圧部を設け、前記キートップの押圧部端部と前記スライダーの各受圧部端部が突き合い当接されている請求項４に記載のプッシュスイッチ。
【請求項６】
キートップの脚部が先端部に該キートップの復帰動作でボディに係止される係止爪を設け、キートップ復帰用コイルスプリングが前記キートップの押圧部と脚部の間のギャップ天面と前記カバーの２重壁のギャップ底面の間にプリロードを掛けた状態で配置されている請求項５に記載のプッシュスイッチ。
【請求項７】
スライダーは受圧部を突設した上面が該スライダーの復帰動作でカバーの下面に当接し、該スライダーがこの下面のキートップの軸芯からずれた位置に凹部を設け、スライダー復帰用コイルスプリングが前記スライダーの凹部天面とボディの内底面の間にプリロードを掛けた状態で配置されている請求項６に記載のプッシュスイッチ。
【発明の詳細な説明】
【技術分野】
【０００１】
本発明は、各種電子機器や自動車等の操作部に用いられるプッシュスイッチ（押しボタンスイッチ）に関する。
【背景技術】
【０００２】
プッシュスイッチの構造は、基本的に操作部とスイッチ部からなり、操作部は、人の手が接触する部分であり、その操作力をスイッチ部に伝達する機能をもち、スイッチ部は、配線基板に接続される部分であり、スイッチ接点の接離（開閉）機能をもつ。このようなプッシュスイッチにおいて、スイッチ部については基板の高密度化等を図るために小型化の要求がある一方で、操作部の最上部に位置し、人が見て触れる部分、つまりキートップ（押しボタン）については、操作性やデザインを考慮して大型（スイッチ部に比べて）のものが要求される場合が多く、大型のキートップでは、操作面を構成する部分とそれを下から支える部分とに分けた構造のものが多く、また操作されている、機器の動作状態を、キートップに照光表示する照光式のものも多く、操作面を構成する部分が無色透明や半透明にされており、支持部分との間に彫刻板やカラープレートを装着することができる。
【０００３】
そして、自動車の車室照明用等に、大型のキートップを取り付けたプッシュスイッチでは、中央にボス部を設けたカバーの下面側にスイッチ部を形成し、該スイッチ部から上方に突出したスライダーをボス部内に上下動可能に挿入し、またキートップの下面中央から垂下した軸部をボス部内に上下動可能に挿入すると共に、ボス部の周囲でキートップ下面とカバー上面の間にキートップ復帰用コイルスプリングを配置し、押し操作によってスイッチ接点の接離状態は切り換わるが、キートップは常に操作前の状態に戻るように構成されている。
【０００４】
上記のような従来のプッシュスイッチにおいては、キートップの軸芯がスイッチの中心となり、カバー、スイッチ部、キートップ復帰用コイルスプリングが、キートップと同軸上に配置されており、またスイッチ部は、カバーによって開放上面が閉じられる箱形状のボディ内にスライダーを上下動可能に収納し、スライダーの下面とボディの内底面の間にスライダー復帰用コイルスプリングが配置され、スライダーの一側面とボディの間にハート状カム方式のスライダーロック機構が形成されると共に、スライダーの他側面とボディの間に摺動接触方式のスイッチ接点が形成され、該スイッチ部のボディ、スライダー、スライダー復帰用コイルスプリングもキートップと同軸上に配置されていた。
【０００５】
上記のような従来のプッシュスイッチは、例えば、特許文献１で知られている。
【特許文献１】特開２００４−２７３１９９号公報
【発明の開示】
【発明が解決しようとする課題】
【０００６】
上記のような従来のプッシュスイッチにおいては、スライダー復帰用コイルスプリングがキートップやキートップ復帰用コイルスプリングに対して同軸上に配置されているため、スライダー復帰用コイルスプリングとスライダーロック機構やスイッチ接点との干渉を避けるためにはスライダーの大きさが必要となり、スイッチ部の小型化が図りにくいという課題があった。
【０００７】
また、キートップの中心が１本の軸部で支えられているだけで、キートップが大きくなると傾きやがたつきが生じ、操作感触に課題があり、しかも、この課題は、スイッチ部の小型化より顕著になる。
【０００８】
本発明は、上記のような課題に鑑みてなされたもので、その目的は、小型でかつ大型のキートップ（押しボタン）を取り付けても傾きやがたつきが少なく、操作感触が良好なプッシュスイッチを提供することにある。
【課題を解決するための手段】
【０００９】
上記目的を達成するために、本発明のプッシュスイッチは、以下の特徴構成を有している。
【００１０】
請求項１に係る発明では、キートップと、該キートップを上方へ付勢するキートップ復帰用コイルスプリングと、前記キートップを介して押し操作されるスライダーと、該スライダーを上方へ付勢するスライダー復帰用コイルスプリングと、前記スライダーの動作位置に応じて接離されるスイッチ接点とを設けたプッシュスイッチであって、スライダー復帰用コイルスプリングがキートップの軸芯に対してずれた位置に配置されており、スライダー復帰用コイルスプリングとスライダー側部のスイッチ接点部等の間の必要な距離を維持或いは拡大しながら、該スライダーを小さくすることができ、またスライダー復帰用コイルスプリングとスライダー側部のスイッチ接点部等の干渉を避けるために高さ方向に逃がす必要もないため、スイッチ部の小型化を容易に図ることができる。
【００１１】
請求項２に係る発明では、キートップが外縁部の対称位置から垂下する脚部を設け、該脚部の間に下から立ち上がる箱形状のボディが外側に、前記脚部が嵌め込まれてキートップを上下動可能に保持するガイドを設けており、ボディが該ボディの外側でキートップの外側部をガイドするので、大型のキートップを取り付けても傾きやがたつきが少なく、操作感触を良好なものとすることができる。
【００１２】
請求項３に係る発明では、キートップが中央部に貫通孔を設け、ボディが上面にカバーを設け、前記キートップを照光する光源が前記カバーの中央部に配置されており、キートップを照光式のものとすることができる。なお、光源としては、白熱ランプ、ネオンランプも使用できるが、低消費電力で長寿命化できる点で、ＬＥＤ（発光ダイオード）を使用することが好ましい。この際、ＬＥＤが電流制限抵抗が内蔵されていない小形のものでは、外付け抵抗で電圧を落とすようにする。
【００１３】
請求項４に係る発明では、カバーが上面に内壁、ギャップ、外壁の構成で２重壁を立ち上げ、該２重壁の内壁の内側に光源が収容されていると共に、キートップが貫通孔を介して前記２重壁の内壁の外側に上下動可能に嵌合されており、２重壁の内壁がキートップの中央部をガイドするので、光源の収容スペースを形成しながら、キートップの傾きやがたつきを抑え、操作感触を良好なものとすることができる。
【００１４】
請求項５に係る発明では、カバーが２重壁のギャップ底面に複数の貫通孔を設け、スライダーが上面に複数の受圧部を立ち上げ、該スライダーの各受圧部が前記カバーの各貫通孔を通して２重壁のギャップ内に突出されていると共に、キートップがその貫通孔周縁から垂下されて前記２重壁の内壁の外側に上下動可能に嵌合される押圧部を設け、前記キートップの押圧部端部と前記スライダーの各受圧部端部が突き合い当接されており、キートップを介してスライダーの複数箇所を押圧するので、キートップの軸芯に対してずれた位置に配置されたスライダー復帰用コイルスプリングで上方に付勢されているスライダーを、傾きやがたつきなく動作させることができ、操作感触が損なわれない。また２重壁の内壁が押圧部を介してキートップの中央部をガイドするので、キートップの傾きやがたつきを抑え、操作感触を良好なものとすることができると共に、２重壁の内壁と押圧部が遮光板となり、光漏れを防止して、キートップの照光を効率良く行うことができる。
【００１５】
請求項６に係る発明では、キートップの脚部が先端部に該キートップの復帰動作でボディに係止される係止爪を設け、キートップ復帰用コイルスプリングが前記キートップの押圧部と脚部の間のギャップ天面と前記カバーの２重壁のギャップ底面の間にプリロードを掛けた状態で配置されており、キートップ復帰用コイルスプリングを傾きやがたつきなく伸縮させることができ、操作感触が損なわれない。
【００１６】
請求項７に係る発明では、スライダーは受圧部を突設した上面が該スライダーの復帰動作でカバーの下面に当接し、該スライダーがこの下面のキートップの軸芯からずれた位置に凹部を設け、スライダー復帰用コイルスプリングが前記スライダーの凹部天面とボディの内底面の間にプリロードを掛けた状態で配置されており、スライダー復帰用コイルスプリングを傾きたがたつきなく伸縮させることができ、操作感触が損なわれない。
【発明の効果】
【００１７】
以上のような特徴構成を有する本発明によれは、小型でかつ大型のキートップ（押しボタン）を取り付けても傾きやがたつきが少なく、操作感触が良好なプッシュスイッチを得ることができるという有利な効果を奏する。
【発明を実施するための最良の形態】
【００１８】
以下、本発明の実施の形態を図１〜図８を参照して詳述する。
【００１９】
図１は本発明の一実施の形態によるプッシュスイッチを前後にニ分する面で切った断面図、図２は同プッシュスイッチを左右に二分する面で切った断面図、図３は同プッシュスイッチに設けられるボディの斜視図、図４は同プッシュスイッチに設けられるカバーの斜視図、図５は同プッシュスイッチに設けられるスライダーとハート状カム方式のスライダーロック機構の斜視図、図６は同プッシュスイッチに設けられるキートップの斜視図、図７は同プッシュスイッチに設けられる固定接点の斜視図、図８は同プッシュスイッチの回路図である。
【００２０】
プッシュスイッチは、この操作面を構成する絶縁樹脂製の一部又は全体が無色透明又は半透明の図示しないキャップを下から支え、場合によってはキャップとの間に彫刻板やカラープレートを装着して大型で照光式のキートップを構成する、外形が略正方形平板状で絶縁樹脂製の不透明のキートップ４０が、この対向する２つの外側縁部から垂下する板状の脚部４１を設け、この脚部４１の間にプッシュスイッチの最下部からキートップ４０の軸芯Ｌ１と同軸上で立ち上げられる上面開放の四角箱形状で絶縁樹脂製のボディ１が、脚部４１と対向する２つの外面の外側に脚部４１を上下摺動可能に嵌め込むガイド孔２を設け、キートップ４０を上下動可能に保持し、ボディ１の外側でキートップ４０の外側部をガイドするようにしている。
【００２１】
ガイド孔２の下側に突出される脚部４１の先端部には、キートップ４０の復帰動作（上動）でガイド孔２の孔壁下端に当接する係止爪４２が設けられている。
【００２２】
ボディ１はインサート成形により形成されており、底部に外部と接続するための複数本（５本）の導電金属製の端子５０を一体に設け、この各端子５０の一端部がボディ１の底部から横並び状態で一方向に突出されている。またボディ１の開放上面は略正方形平板状で絶縁樹脂製のカバー２０で閉じられている。このカバー２０は、この４つの角部付近からボディ１の外面の外側に垂下する４本の脚部２１に、ボディ１の外面に突設された係合爪３を嵌め込む係合孔２２を設け、ボディ１の開放上面に被着されている。
【００２３】
カバー２０の上面には、内壁２３、ギャップ２４、内壁２３より背の低い外壁２５の構成で円形の２重壁がキートップ４０の軸芯Ｌ１と同軸上に立ち上げられ、キートップ４０の照光用光源としてのＬＥＤ１２０が、２重壁の内壁２３の内側に収容されてカバー２０の上面中央部でキートップ４０の軸芯Ｌ１と同軸上に配置されている。
【００２４】
ＬＥＤ１２０の本体から引き出されたアノード側とカソード側の２本のリード線１２１は、内壁２３の切り欠き部２６、ギャップ２４、外壁２５の切り欠き部２７を経て２重壁の外側に引き出された後、ボディ１の外面に形成された２本のリード溝４を通して、対応する端子５０（最外側の２本の端子５０）のスルーホールに端部が挿入されてボディ１の外底面で半田付けによって接続される。なお、ＬＥＤ１２０は小形で電流制限抵抗が内蔵されていないため、外付け抵抗１３０で電圧を落とすようにしている。この外付け抵抗１３０は、アノード側のリード線１２１と接続される１本の端子５０の中間部に組み込まれている。
【００２５】
キートップ４０の中央部には、キートップ４０の軸芯Ｌ１と同芯の円形で２重壁の外壁２５の外径と略同じ直径の大きな貫通孔４３が設けられ、この貫通孔４３を通してキートップ４０の中央部がこの真下に配置されたＬＥＤ１２０により照光されている。またキートップ４０が貫通孔４３を介して２重壁の内壁２３の外側に上下摺動可能に嵌合され、この内壁２３の外面でキートップ４０の中央部をガイドするようにしている。
【００２６】
キートップ４０には、上に行くに従ってその直径を漸次拡大するテーパ部４６が上部に形成されて貫通孔４３の周縁からキートップ４０の軸芯Ｌ１と同軸上で垂下される円筒形状の押圧部４４を設け、この押圧部４４が２重壁の内壁２３の外側に上下摺動可能に嵌合され、この内壁２３の外面でキートップ４０の中央部をガイドするようにしている。また２重壁の内壁２３と押圧部４４でＬＥＤ１２０の周側から照光面までを囲う遮光板を形成し、光漏れを防止している。
【００２７】
キートップ４０の押圧部４４と脚部４１の間のギャップ４５天面（キートップ４０下面）とカバー２０の２重壁のギャップ２４底面（カバー２０上面）の間には、金属製のキートップ復帰用コイルスプリング１１０がプリロードを掛けた状態でキートップ４０の軸芯Ｌ１と同軸上に配置され、キートップ復帰用コイルスプリング１１０によってキートップ４０を上方へ付勢し、係止爪４２をガイド孔２の孔壁下端に当接させ、キートップ４０をボディ１に係止させて図１、図２に示す復帰位置に保持している。
【００２８】
ボディ１内には、絶縁樹脂製のスライダー３０とキートップ復帰用スプリング１１０より小径でバネ力も小さい金属製のスライダー復帰用コイルスプリング１００が収納されると共に、ハート状カム方式のスライダーロック機構と摺動接触方式のスイッチ接点が形成されている。
【００２９】
ボディ１の隣接する２つの内面のうち、１つの内面の内側には、スライダー３０の一側面に設けられるハート形状のカム溝６０とでハート状カム方式のスライダーロック機構を形成する金属製で略コの字状をしたフックピン６１のピン装着部５が形成され、もう１つの内面の内側には、スライダー３０の他の一側面に設けられる導電金属製で片持ち梁の板バネを用いた可動接片８０とで摺動接触方式のスイッチ接点を形成する固定接点としての略矩形平板状の配線基板（マイクロＰＣＢ）８１の基板装着部６が形成されており、スライダー３０は、ボディ１内のピン装着部５と基板装着部６を除く領域に、左右前後移動が規制されて上下移動のみが許容された状態で嵌め込まれ、ボディ１がこの内側でスライダー３０を、キートップ４０の軸芯Ｌ１からボディ１の隣接する他の２つの内面角部方向の対角方向にずれた位置でガイドするようにしている。
【００３０】
カバー２０には、２重壁のギャップ２４底面の対称位置に複数（２つ）の貫通孔２８が設けられ、スライダー３０の上面には、ボディ１内から各貫通孔２８を通して２重壁のギャップ２４内に突出する複数（２つ）の受圧部３１が立ち上げられ、キートップ２０の押圧部４４端部にスライダー３０の各受圧部３１端部を２重壁のギャップ２４内で下から突き合わせるようにしている。
【００３１】
スライダー３０の下面には、スライダー復帰用コイルスプリング１００の上部を下から嵌め込む位置決め用の凹部３２が設けられ、スライダー３０の下面と対向するボディ１の内底面には、凹部３２と対向する位置にスライダー復帰用コイルスプリング１００の下部を嵌め込むガイドピン７が突設され、スライダー復帰用コイルスプリング１００が、スライダー３０の凹部３２天面とボディ１の内底面の間にプリロードを掛けた状態で配置され、スライダー復帰用コイルスプリング１００によってスライダー３０を上方へ付勢し、スライダー３０の上面をカバー２０の下面に当接させ、スライダー３０をボディ１内で図１、図２に示す復帰位置に保持すると共に、図２に示すように復帰位置に保持されたキートップ２０の押圧部４４端部に対して復帰位置に保持されたスライダー３０の各受圧部３１端部が下から突き合い当接するようにしている。
【００３２】
ここで、スライダー復帰用スプリング１００は、この軸芯Ｌ２がキートップ４０の軸芯Ｌ１に対してボディ１の隣接する他の２つの内面角部方向の対角方向にずれた位置に配置され、かつキートップ４０の軸芯Ｌ１からボディ１の隣接する他の２つの内面角部方向の対角方向にずれた位置で上下動するスライダー３０の軸芯に対してもボディ１の隣接する他の２つの内面角部方向の対角方向にずれた位置に配置されている。これによって、スライダー復帰用コイルスプリング１００とスライダー３０側部のスライダーロック機構やスイッチ接点部の間に必要な距離を、スライダー３０やスライダー復帰用スプリング１００をキートップ４０の軸芯Ｌ１と同軸上に配置した場合に比べ、小さいスライダー３０で確保できるようになっている。
【００３３】
そして、スライダー３０のピン装着部５に対向する一側面にハート形状のカム溝６０を設け、このカム溝６０にフックピン６１の上端が略直角に接し、スライダー３０の上下動に合わせて移動するように、ボディ１内のピン装着部５に金属製の支持板６２を介してフックピン６１の下端を支持して、ハート状カム方式のスライダーロック機構が形成されている。
【００３４】
また、スライダー３０の基板装着部６に対向する一側面に導電金属製の片持ち梁の板バネを用いた可動接片８０を設け、この可動接片８０の自由端部に配線基板８１の配線パターン印刷面が接し、スライダー３０の上下動に合わせて摺動するように、ボディ１内の基板装着部６に配線基板８１を嵌着して、摺動接触方式のスイッチ接点が形成されている。  
【００３５】
なお、可動接片８０は、上方へ開口する断面略コの字状で横長の基部８２の一端縁から上方に向かって３本が平行に延出されており、基部８２がスライダー３０の下面に突出形成された接片保持部３３に下方から嵌着されて、３本が基板装着部６に対向する一側面に並設されている。対して配線基板８１は、配線パターン印刷面に固定接点が可動接片８０の３本に対応して３つ形成されている。１つは中央の可動接片８０に常時接触し導通する中央固定接点、１つはスライダー３０が復帰したときに片側の可動接片８０と接触し可動接片８０を介して中央固定接点と導通する第１の切り換え固定接点、１つはスライダー３０が押し下げられたときに他の片側の可動接片８０と接触し可動接片８０を介して中央固定接点と導通する第２の切り換え固定接点である。この配線基板８１からは各固定接点と配線パターンで接続された３本のピン状の端子８３が突出され、各端子８３は基板装着部６への嵌着によって残りの内側の３本の端子５０のスルーホールに端部が挿入されてボディ１の外底面で半田付けによって接続される。
【００３６】
以上のように構成されたプッシュスイッチは、機器の筺体の貫通孔からキートップ４０の上面（キートップの上に取り付けられるキャップ上面）をやや上方へ突出させ、機器の電子回路を構成する配線基板の配線パターンに各端子５０が半田付けによって接続されて、機器に装着される。
【００３７】
次に、プッシュスイッチの組み立て方法について説明する。
【００３８】
先ず、ボディ１の開放上面から、フックピン６１を保持した支持板６２をボディ１内のピン装着部５に差し込み、また配線基板８１をボディ１内の基板装着部６に差し込み、この際、基板装着部６の各端子８３端部をボディ１の対応する端子５０のスルーホールに挿入し、さらにスライダー復帰用コイルスプリング１００下部をボディ１の内底面から突出するガイドピン７に嵌め込み、スライダー復帰用コイルスプリング１００をボディ１の内底面の上に載置し、フックピン６１、配線基板８１、スライダー復帰用コイルスプリング１００をボディ１内に組み込む。
【００３９】
次に、ボディ１の開放上面から、可動接片８０を取り付けたスライダー３０下部をボディ１内に挿入し、フックピン６１上端をスライダー３０のカム溝６０下部に下から嵌め込むと共に、自由長のスライダー復帰用コイルスプリング１００上部をスライダー３０下面の凹部３２に下から嵌め込み、スライダー復帰用コイルスプリング１００の上にスライダー３０を載せる。
【００４０】
次に、カバー２０の各貫通孔２８にスライダー３０の各受圧部３１を下から差し込みながら、カバー２０をスライダー３０の上に被せ、スライダー３０をカバー２０下面で押し下げ、スライダー３０の凹部３２天面とボディ１の内底面との間でスライダー復帰用コイルスプリング１００を圧縮しながら、スライダー３０をボディ１内に押し込み、カバー２０をボディ１の開放上面に被せ、カバー２０の各脚部２１の係合孔２２にボディ１の係合爪３を嵌め込み、カバー２０をボディ１の開放上面に固定する。
【００４１】
次に、ＬＥＤ１２０をカバー２０上面から立ち上がる２重壁の内壁２３の内側に嵌め込み、この際、ＬＥＤ１２０の各リード線１２１端部をボディ１の対応する端子５０のスルーホールに挿入する。この後、キートップ復帰用スプリング１１０下部を２重壁のギャップ２４内に嵌め込み、キートップ復帰用スプリング１１０を２重壁のギャップ２４底面の上に載置する。
【００４２】
最後に、キートップ４０の各脚部４１をボディ１の各ガイド孔２に上から差し込み、キートップ４０をカバー２０の上に保持し、キートップ復帰用コイルスプリング１１０をギャップ４５天面とカバー２０の２重壁のギャップ２４底面との間で圧縮しながら、各脚部４１先端部の係止爪４２が各ガイド孔２の下側に突出するまで、各脚部４１を各ガイド孔２に差し込み、キートップ４０をカバー２０の上側に装着して、プッシュスイッチが完成する。
【００４３】
なお、ＬＥＤ１２０の各リード線１２１及び基板装着部６の各端子８３とボディ１の各端子５０との半田付けは、プッシュスイッチの組み立て後に人の手で行われる。
【００４４】
次に、プッシュスイッチの動作について説明する。
【００４５】
図１、図２に示した状態から、キートップ４０の上面を指で押し操作すると（１回目の押し操作）、キートップ４０は、この外側部と中央部がボディ１外面とカバー２０の二重壁の内壁２３外面でガイドされて、キートップ復帰用コイルスプリング１１０をキートップ４０のギャップ４５天面とカバー２０の２重壁のギャップ２４底面との間で圧縮しながら下方へ移動し、キートップ４０の押圧部４４端部（下端）がスライダー３０の各受圧部３１端部（上端）を押圧するので、スライダー３０が、この外面がボディ１内面でガイドされて、スライダー復帰用コイルスプリング１００をスライダー３０下面の凹部３２天面とボディ１の内底面との間で圧縮しながら下方へ移動して、可動接片８０が中央固定接点と第２の切り換え固定接点とに接触し、この各固定接点に接続されている端子５０間を導通して、回路の切り換えが行われる。
【００４６】
また、スライダー３０の下方への移動に伴って、フックピン６１上端がスライダー３０のカム溝６０内を摺動し、所定のロック位置へ移動すると共に、スライダー３０の下面がボディ１の内底面に当接し、スライダー３０が最も押し下げられた状態となる。
【００４７】
そして、キートップ４０の上面から指を離すと、キートップ４０はこのギャップ４５天面をキートップ復帰用コイルスプリング１１０に押圧されて押し操作する前の位置に復帰するが、スライダー３０はカム溝６０内を所定の位置へ移動したフックピン６１上端によって、所定の位置（最も押し下げられた状態から少し戻った位置）でロックされてスライダー復帰用コイルスプリング１００の弾性復帰力に抗して停止し、キートップ４０の押圧部４４端部はスライダー３０の各受圧部３１端部から離れ、回路は切り換わった状態に保持される。
【００４８】
次に、キートップ４０の上面を指でもう一度押し操作すると（２回目の押し操作）、キートップ４０が１回目の押し操作時と同様に下方へ移動し、キートップ４０の押圧部４４端部がスライダー３０の各受圧部３１端部を再び押圧するので、スライダー３０も１回目の押し操作時と同様に下面をボディ１の内底面に当接するまで下方へ移動すると共に、フックピン６１上端がスライダー３０のカム溝６０内を摺動し、所定のロック位置から外れる。
【００４９】
そして、キートップ４０の上面から再び指を離すと、キートップ４０が１回目の押し操作時と同様にキートップ復帰用コイルスプリング１１０の弾性復帰力によって押し操作する前の位置に復帰すると共に、ロックが解除されたスライダー３０もスライダー復帰用コイルスプリング１００の弾性復帰力によって上面をカバー２０の下面に当接する元の位置に復帰し、可動接片８０が中央固定接点と第１の切り換え固定接点とに接触し、この各固定接点に接続されている端子５０間を導通して、回路も元の状態に復帰し、図１、図２に示した状態に復帰する。
【００５０】
以上のようにプッシュスイッチは、キートップ４０の押し操作毎にスイッチ接点の接離状態は切り換わるが、キートップは常に操作前の状態に戻る、オルタネイト動作型に構成されている。ここで、ＬＥＤ１２０の回路はスイッチ回路とは関係なく独立して設けられ、その操作されている、機器の動作状態等の表示目的に応じて適宜点滅される。
【００５１】
以上のように本実施の形態では、キートップ４０と、該キートップ４０を上方へ付勢するキートップ復帰用コイルスプリング１１０と、前記キートップ４０を介して押し操作されるスライダー３０と、該スライダー３０を上方へ付勢するスライダー復帰用コイルスプリング１００と、前記スライダー３０の動作位置に応じて接離されるスイッチ接点８０，８１とを設けたプッシュスイッチであって、スライダー復帰用コイルスプリング１００がキートップ４０の軸芯Ｌ１に対してずれた位置に配置されており、スライダー復帰用コイルスプリング１００とスライダー３０側部のスイッチ接点８０，８１部やスライダーロック機構６０，６１等の間の必要な距離を維持或いは拡大しながら、該スライダー３０を小さくすることができ、またスライダー復帰用コイルスプリング１００とスライダー３０側部のスイッチ接点８０，８１部やスライダーロック機構６０，６１等の干渉を避けるために高さ方向に逃がす必要もないため、スイッチ部の小型化を容易に図ることができる。
【００５２】
また、キートップ４０が外縁部の対称位置から垂下する脚部４１を設け、該脚部４１の間に下から立ち上がる箱形状のボディ１が外側に、前記脚部４１が嵌め込まれてキートップ４０を上下動可能に保持するガイド２を設けており、ボディ１が該ボディ１の外側でキートップ４０の外側部をガイドするので、大型のキートップ４０を取り付けても傾きやがたつきが少なく、操作感触を良好なものとすることができる。
【００５３】
また、キートップ４０が中央部に貫通孔４３を設け、ボディ１が上面にカバー２０を設け、前記キートップ４０を照光する光源１２０が前記カバー２０の中央部に配置されており、キートップ４０を照光式のものとすることができる。
【００５４】
また、カバー２０が上面に内壁２３、ギャップ２４、外壁２５の構成で２重壁を立ち上げ、該２重壁の内壁２３の内側に光源１２０が収容されていると共に、キートップ４０が貫通孔４３を介して前記２重壁の内壁２３の外側に上下動可能に嵌合されており、２重壁の内壁２３がキートップ４０の中央部をガイドするので、光源１２０の収容スペースを形成しながら、キートップ４０の傾きやがたつきを抑え、操作感触を良好なものとすることができる。
【００５５】
また、カバー２０が２重壁のギャップ２４底面に複数の貫通孔２８を設け、スライダー３０が上面に複数の受圧部３１を立ち上げ、該スライダー３０の各受圧部３１が前記カバー２０の各貫通孔２８を通して２重壁のギャップ２４内に突出されていると共に、キートップ４０がその貫通孔４３周縁から垂下されて前記２重壁の内壁２３の外側に上下動可能に嵌合される押圧部４４を設け、前記キートップ４０の押圧部４４端部と前記スライダー３０の各受圧部３１端部が突き合い当接されており、キートップ４０を介してスライダー３０の複数箇所を押圧するので、キートップ４０の軸芯Ｌ１に対してずれた位置に配置されたスライダー復帰用コイルスプリング１００で上方に付勢されているスライダー３０を、傾きやがたつきなく動作させることができ、操作感触が損なわれない。また２重壁の内壁２３が押圧部４４を介してキートップ４０の中央部をガイドするので、キートップ４０の傾きやがたつきを抑え、操作感触を良好なものとすることができると共に、２重壁の内壁２３と押圧部４４が遮光板となり、光漏れを防止して、キートップ４０の照光を効率良く行うことができる。
【００５６】
また、キートップ４０の脚部４１が先端部に該キートップ４０の復帰動作でボディ１に係止される係止爪４２を設け、キートップ復帰用コイルスプリング１１０が前記キートップ４０の押圧部４４と脚部４１の間のギャップ４５天面と前記カバー２０の２重壁のギャップ２４底面の間にプリロードを掛けた状態で配置されており、キートップ復帰用コイルスプリング１１０を傾きやがたつきなく伸縮させることができ、操作感触が損なわれない。
【００５７】
また、スライダー３０は受圧部３１を突設した上面が該スライダー３０の復帰動作でカバー２０の下面に当接し、該スライダー２０がこの下面のキートップ４０の軸芯Ｌ１からずれた位置に凹部３２を設け、スライダー復帰用コイルスプリング１００が前記スライダー３０の凹部３２天面とボディ１の内底面の間にプリロードを掛けた状態で配置されており、スライダー復帰用コイルスプリングを傾きたがたつきなく伸縮させることができ、操作感触が損なわれない。
【００５８】
従って、本実施の形態によれは、小型でかつ大型のキートップ４０（押しボタン）を取り付けても傾きやがたつきが少なく、操作感触が良好なプッシュスイッチを得ることができるものである。
【００５９】
なお、本実施の形態では、キートップ４０の照光用光源として発光色が１色のＬＥＤ１２０を使用したが、ボディ１の端子５０数を増やして多色を発光できるＬＥＤを使用してもよい。またプッシュスイッチをオルタネイト動作させるための動作機構として、ハート状カム方式のスライダーロック機構を用いたが、回転カム方式等の動作機構を用いてもよい。そして、本実施の形態は、本発明の一実施形態を示したが、本発明はそれに限定されることなく、その要旨を逸脱しない範囲内で種々変形実施することができる。
【図面の簡単な説明】
【００６０】
【図１】本発明の一実施の形態によるプッシュスイッチを前後に二分する面で切った断面図である。
【図２】同プッシュスイッチを左右に二分する面で切った断面図である。
【図３】同プッシュスイッチに設けられるボディの斜視図である。
【図４】同プッシュスイッチに設けられるカバーの斜視図である。
【図５】同プッシュスイッチに設けられるスライダーの斜視図である。
【図６】同プッシュスイッチに設けられるキートップの斜視図である。
【図７】同プッシュスイッチに設けられる固定接点の斜視図である。
【図８】同プッシュスイッチの回路図である。
【符号の説明】
【００６１】
１  ボディ
２  ガイド孔
２０  カバー
２３  内壁
２４  ギャップ
２５  外壁
２８  貫通孔
３０  スライダー
３１  受圧部
３２  凹部
４０  キートップ
４１  脚部
４２  係止爪
４３  貫通孔
４４  押圧部
４５  ギャップ
６０  カム溝
６１  フックピン
８０  可動接片
８１  配線基板
１００  スライダー復帰用コイルスプリング
１１０  キートップ復帰用コイルスプリング
１２０  ＬＥＤ
Ｌ１  キートップの軸芯
Ｌ２  スライダー復帰用コイルスプリングの軸芯
【図１】
2007323829.tif 000003
【図２】
2007323829.tif 000004
【図３】
2007323829.tif 000005
【図４】
2007323829.tif 000006
【図５】
2007323829.tif 000007
【図６】
2007323829.tif 000008
【図７】
2007323829.tif 000009
【図８】
2007323829.tif 000010